(57)【特許請求の範囲】
【請求項１】
ピット内を昇降可能なテーブル上に天板を備えた架構体を設けると共に、この架構体の支持柱を伸縮自在に形成し、前記テーブルの昇降動作に連動して支持柱を伸縮させ同テーブルの上昇に伴い天板をテーブルに対して移動させる連動機構を設けたことを特徴とするリフタ。
【請求項２】
前記支持柱は内柱と外柱からなることを特徴とする請求項１記載のリフタ。
【請求項３】
前記連動機構は、テーブルの下側方に配設される吊り下げバーと、該吊り下げバーに一端が係止され他端側が内柱上端のスプロケットを巻回した後外柱の下端に係止される複数本のチェーンと、前記テーブルの所定の上昇位置で前記吊り下げバーに係合して該吊り下げバーのそれ以後の上昇を阻止すべくピット内壁に固設された固定バーとを有することを特徴とする請求項２記載のリフタ。
【発明の詳細な説明】
【０００１】
【発明の属する技術分野】
本発明は、工場のピット内に固定的に設けられるリフタに関する。
【０００２】
【従来の技術】
一般に、印刷工場において、大型印刷機の例えばインカー部のメンテナンスを行う場合、図４に示すように、可動リフタ１００を印刷機１０１の内部に搬入し、そのテーブル１０２をプラットフォームとしてオペレータ１０３がテーブル１０２上に乗って作業を行っている。そして、印刷が再開されると、メンテナンス時に用いていた可動リフタ１００は、機外に搬出される。
【０００３】
ところで、可動リフタ１００を機外に搬出しただけでは、可動リフタ１００の周りで作業をしている作業者の邪魔になるので、従来は、図５に示すように、工場のピット１０４内に格納して、メンテナンス時のみ可動リフタ１００を使用していた。
【０００４】
即ち、ピット１０４内には固定リフタ１０５が設けられ、この固定リフタ１０５のテーブル１０６上に可動リフタ１００を搭載すると共に、テーブル１０６上に設けた架構体１０７内を可動リフタ１００が車輪１０８により出入り可能になっている。
尚、架構体１０７の上面は、可動リフタ１００の格納時において、フロア上の床面Ｇと略同一高さとなるように天板１０９で塞がれている。また、可動リフタ１００の使用時において、フロア上の床面Ｇとテーブル１０６とが略同一高さとなるようになっている。
【０００５】
【発明が解決しようとする課題】
ところで、ピット１０４は、工場によっては掘る深さに限界があり、あまり深くは掘れないところがある。
このような場合、架構体１０７の高さも自ずと制限されるため、可動リフタ１００の使用時には、フロア上にリフトアップされた架構体１０７の高さが不十分で、作業者が可動リフタ１００に乗ったまま架構体１０７内を出入りすることができないほか作業者が徒歩で架構体１０７内を通過することが困難であるなどで、工場内の作業性を著しく低下させていた。
【０００６】
そこで、本発明の目的は、架構体の高さを可変に構成して工場内の作業性を向上させられるリフタを提供することにある。
【０００７】
【課題を解決するための手段】
前記目的を達成するために、本発明に係るリフタは下記のように構成される。
（１）ピット内を昇降可能なテーブル上に天板を備えた架構体を設けると共に、この架構体の支持柱を伸縮自在に形成し、前記テーブルの昇降動作に連動して支持柱を伸縮させ同テーブルの上昇に伴い天板をテーブルに対して移動させる連動機構を設けたことを特徴とする。
【０００８】
（２）前記支持柱は内柱と外柱からなることを特徴とする
【０００９】
（３）前記連動機構は、テーブルの下側方に配設される吊り下げバーと、該吊り下げバーに一端が係止され他端側が内柱上端のスプロケットを巻回した後外柱の下端に係止される複数本のチェーンと、前記テーブルの所定の上昇位置で前記吊り下げバーに係合して該吊り下げバーのそれ以後の上昇を阻止すべくピット内壁に固設された固定バーとを有することを特徴とする。
【００１０】
［作用］
（１）項によれば、リフトダウン時には、支持柱を収縮させて架構体の高さを低くした状態でピット内に収納でき、リフトアップ時には、逆に支持柱を伸長させて架構体の高さを高くでき、作業者の邪魔になることはない。しかも上記動作はリフトの昇降動作に連動して自動的に行われる。
【００１１】
（２）項によれば、支持柱は内柱と外柱からなるので、簡単な構造で支持柱を伸縮させられる。
【００１２】
（３）項によれば、リフトアップ途中で、吊り下げバーが固定バーに係合することで、それ以後テーブルの上昇に伴いチェーンに引っ張られて外柱が内柱に対し伸長され、リフトアップ時の架構体の高さが高められる。
【００１３】
【発明の実施の形態】
本発明に係るリフタを実施例により詳細に説明する。
【００１４】
［実施例］
図１はリフタのアップ時の正面及び側面図、図２は同じくダウン時の正面及び側面図、図３はチェーンの掛け回し状態の説明図である。
【００１５】
図１及び図２に示すように、深さＨのピット１０４内に固定リフタ１を介して車輪１０８付きの可動リフタ１００が格納されている。
【００１６】
前記固定リフタ１は、ベース２上にパンダグラフ式のリンク機構３を介してテーブル４が支持され、図示しない油圧シリンダの伸縮でリンク機構３が拡縮変形することで、テーブル４がピット１０４内をストロークＳ１だけ昇降するようになっている。
【００１７】
前記テーブル４上には架構体５が組み立てられ、この架構体５の６本からなるすべての支持柱６は、内柱６ａと外柱６ｂとで両柱の嵌合部分で、上下方向に伸縮自在に形成されている。
【００１８】
そして、前記テーブル４の昇降動作に連動して前記支持柱６を伸縮させ、同テーブル４の上昇に伴い外柱６ｂを内柱６ａに対し上方へ伸長移動させる連動機構Ａが設けられる。
【００１９】
この連動機構Ａは、図３にも示すように、テーブル４の下側方に配設される四角枠状の吊り下げバー７と、該吊り下げバー７に一端が係止され他端側が内柱６ａ上端のスプロケット８を巻回した後外柱６ｂの下端に係止される６本のチェーン９と、前記テーブル４の所定の上昇位置で前記吊り下げバー７に係合して該吊り下げバー７のそれ以後の上昇を阻止すべくピット１０４の前，後両内壁間に架設された左右二本の固定バー１０とを有する。
【００２０】
図示例では、前記チェーン９の上端はピン１１に連結され、このピン１１が外柱６ｂの下端に形成した切欠き１２内に嵌合して上方に係り止めされている。一方、チェーン９の下端は吊り下げバー７にボルト１３で結合され、若干の長さ調整が可能になっている（図３参照）。尚、図中１４は天板である。
【００２１】
このように構成されるため、リフトダウン時には、図２に示すように、外柱６ｂは自重で内柱６ａに深く嵌合し、支持柱６は収縮した状態即ち、架構体５の高さを低くした状態でピット１０４内に収められる。この時の支持柱６の長さは、固定リフタ１のストロークＳ１と同一に設定され、リフトダウン時には天板１４とフロア上の床面Ｇとが略同一高さになるようになっている。
【００２２】
一方、リフトアップ時には、図１に示すように、テーブル４の上昇行程後半で、吊り下げバー７が固定バー１０に係合することで、それ以後テーブル４の上昇に伴いチェーン９に引っ張られて外柱６ｂが内柱６ａに対し上方へ伸長（抜出）され、リフトアップ時の架構体５の高さがＳ２（吊り下げバー７が固定バー１０に係合した後の固定リフタ１のストローク量）分だけ高められ、また、フロア上の床面Ｇとテーブル４とが略同一高さとなるようになる。
【００２３】
このようにして、ピット１０４の深さＨを十分に確保することができない場合でも、架構体５の高さを可変にすることで、リフトアップ時とリフトダウン時の両方において好都合な固定リフタ１が実現される。
【００２４】
即ち、リフトアップ時には、架構体５の高さが高められ、これにより、作業者が楽に架構体５内を通り抜けることができると共に、可動リフタ１００に作業者が乗ったままで架構体５内を出入りすることができ、工場内の作業性が向上される。一方、リフトダウン時には、架構体５の高さを低くして、ピット１０４内にコンパクトに収納できると共に、作業者が天板１４上を徒歩で通過することもできる。
【００２５】
尚、本実施例では、内柱と天板を備えた外柱を用いて、外柱が内柱に対して上昇するようにしたが、天板を備えた内柱と外柱を用いて、内柱が外柱に対して上昇するように構成しても良い。
また、本発明は上記実施例に限定されず、連動機構Ａに他の構造のものを用いる等各種変更が可能なことは言うまでもない。また、本発明のリフタは印刷工場に限らず、あらゆる工場に適用できる。
【００２６】
【発明の効果】
請求項１の発明によれば、ピット内を昇降可能なテーブル上に天板を備えた架構体を設けると共に、この架構体の支持柱を伸縮自在に形成し、前記テーブルの昇降動作に連動して支持柱を伸縮させ同テーブルの上昇に伴い天板をテーブルに対して移動させる連動機構を設けたので、リフトダウン時には、支持柱を収縮させて架構体の高さを低くした状態でピット内に収納でき、リフトアップ時には、逆に支持柱を伸長させて架構体の高さを高くでき、ピット深さを十分に採ることができない工場においても、工場内の作業性を著しく向上させられる。
【００２７】
請求項２の発明によれば、支持柱は内柱と外柱からなるので、簡単な構造で支持柱を伸縮させられる。
【００２８】
請求項３の発明によれば、連動機構は、テーブルの下側方に配設される吊り下げバーと、該吊り下げバーに一端が係止され他端側が内柱上端のスプロケットを巻回した後外柱の下端に係止される複数本のチェーンと、前記テーブルの所定の上昇位置で前記吊り下げバーに係合して該吊り下げバーのそれ以後の上昇を阻止すべくピット内壁に固設された固定バーとを有するので、簡単な構造で且つ安価に連動機構が実現される。
【図面の簡単な説明】
【図１】本発明の一実施例を示すリフタのアップ時の正面及び側面図である。
【図２】同じくダウン時の正面及び側面図である。
【図３】同じくチェーンの掛け回し状態の説明図である。
【図４】可動リフタの使用状態の説明図である。
【図５】従来の固定リフタの説明図である。
【符号の説明】
１  固定リフタ
２  ベース
３  リンク機構
４  テーブル
５  架構体
６  支持柱
６ａ  内柱
６ｂ  外柱
７  吊り下げバー
８  スプロケット
９  チェーン
１０  固定バー
１４  天板
１００  可動リフタ
１０４  ピット
Ａ  連動機構
Ｇ  床面
【図１】
0003894384.tif 000002
【図２】
0003894384.tif 000003
【図３】
0003894384.tif 000004
【図４】
0003894384.tif 000005
【図５】
0003894384.tif 000006